(57)【要約】【課題】本発明は、災害発生時に避難者に避難通知する避難支援プログラムおよび災害発生システムに関し、災害発生時に自動的に所定地域内の避難者に通知して避難場所に避難、弱者は介護者によって支援して避難すると共に避難完了をセンタに返信して関係者に避難先を連絡することを目的とする。【解決手段】避難対象者、その場所情報、弱者か否かの情報、弱者の場合には介護者を登録したテーブルと、災害発生した旨を受け付ける手段と、受け付けた災害の発生場所をもとに所定領域内の避難対象者をテーブルから抽出する手段と、抽出した避難対象者が弱者の場合には災害発生内容と避難場所に加えて介護者が支援に向かう旨を通知、および介護者には弱者の場所情報および支援要請を通知する手段とを備える。【選択図】　図１
2004118702.tif 000002
【特許請求の範囲】
【請求項１】
避難対象者、その場所情報、弱者か否かの情報、弱者の場合には介護者を登録したテーブルと、
災害発生した旨を受け付ける手段と、
前記受け付けた災害の発生場所をもとに所定領域内の避難対象者を前記テーブルから抽出する手段と、
前記抽出した避難対象者が弱者の場合には災害発生内容と避難場所に加えて介護者が支援に向かう旨を通知、および介護者には弱者の場所情報および支援要請を通知する手段と
をコンピュータに実行させるための避難支援プログラム。
【請求項２】
前記テーブルに連絡先を登録しておき、
前記避難対象者あるいは介護者からの避難場所に避難完了した旨の通知を受け付ける手段と、
前記通知を受け付けたときに前記テーブルを参照して連絡先に避難者とその避難場所を通知する手段と
をコンピュータに実行させるための請求項１記載の避難支援プログラム。
【請求項３】
災害発生時に避難者に避難通知する避難支援システムにおいて、
避難対象者、その場所情報、弱者か否かの情報、弱者の場合には介護者を登録したテーブルと、
災害発生した旨を受け付ける手段と、
前記受け付けた災害の発生場所をもとに所定領域内の避難対象者を前記テーブルから抽出する手段と、
前記抽出した避難対象者が弱者の場合には災害発生内容と避難場所に加えて介護者が支援に向かう旨を通知、および介護者には弱者の場所情報および支援要請を通知する手段と
を備えたことを特徴とする避難支援システム。
【発明の詳細な説明】
【０００１】
【発明の属する技術分野】
本発明は、災害発生時に避難者に避難通知する避難支援プログラムおよび避難支援システムに関するものである。
【０００２】
【従来の技術】
従来、火災、水害などの災害が発生した場合、災害発生および救難依頼の連絡が消防署などに通知される。当該通知に対して、救急車を災害発生地点に派遣して災害にあった人の救護などを行うようにしている。
【０００３】
また、災害や有事に関する所定の事項について所定の事象が生じた旨の通報指示を受け付け、この通報指示がなされた事項および事象に関する内容のメールを所定の複数の通信端末へ通信網を介して伝送することが行われている（特許文献１）。
【０００４】
【発明が解決しようとする課題】
上述した後者では災害発生した旨の通報を受け付けると、複数の通信端末にメールでその内容を通知するのみで、通知を受けた人が健康者であればそのメール内容を見て避難したりして２次災害を防止できる。しかし、自力で避難できないような弱者では、通知を受けて自身では避難できず、２次災害が発生してしまうという問題があった。
【０００５】
また、メールで災害発生内容の通知を受けてもいずれの場所に避難をして良いのかわからず、当該通知を受けた災害などの通知に適切に対処した行動（例えばできるだけ近い安全な避難場所に避難するなど行動）を取りえないという問題もあった。
【０００６】
本発明は、これらの問題を解決するた、災害発生の通知を受け付けると、避難する必要のある地域内の避難者を抽出して災害発生および避難場所を通知し、自力で避難できない弱者には介護者が支援する旨を通知し、および介護者に弱者の支援要請を通知し、避難場所に避難した避難者、弱者、介護者はセンタに避難先を返信して関係者に避難先を連絡し、災害発生時に自動的に所定地域内の避難者に通知して避難場所に避難、弱者は介護者によって支援して避難すると共に避難完了をセンタに返信して関係者に避難先を連絡することを目的としている。
【０００７】
【特許文献１】
特開２００１−２１７９５８の特許請求の範囲の請求項１参照。
【０００８】
【課題を解決するための手段】
図１を参照して課題を解決するための手段を説明する。
【０００９】
図１において、災害支援システム１は、災害発生時に避難対象者の避難の支援を行うものであって、ここでは、災害情報取得手段２、送信者抽出手段３、メッセージ生成手段１０、対象者ＤＢ８、避難完了受付手段１５などから構成されるものである。
【００１０】
災害情報取得手段２は、災害発生の情報を取得するものである。
送信者抽出手段３は、災害発生した地域の避難対象者を抽出するものである。
【００１１】
メッセージ生成手段１０は、避難対象者（弱者、介護者など）に通知するメッセージを生成するものである。
【００１２】
対象者ＤＢ８は、避難対象者の情報（住所、弱者であるか否か、弱者のときは介護者など）を登録したものである。
【００１３】
避難完了受付手段１５は、対象の端末２２からの避難完了通知を受け付けるものである。
【００１４】
端末２２は、避難対象者（弱者、介護者など）が持つ端末であって、ここでは、避難情報を受信したり、避難完了したときにその旨を災害支援システム１に返答したりなどするものである。
【００１５】
次に、動作を説明する。
災害情報取得手段２が災害発生情報を取得し、送信者抽出手段３が災害の発生場所をもとに所定領域内の避難対象者を対象者ＤＢ８を検索して抽出し、メッセージ生成手段１０が抽出した避難対象者が弱者の場合には災害発生内容と避難場所に加えて介護者が支援に向かう旨、および介護者には弱者の場所情報および支援要請の旨のメッセージを生成し、送信するようにしている。
【００１６】
この際、避難完了受付手段１５が対象者（弱者、介護者など）からの避難完了通知を受け付け、送信者抽出手段３が対象者ＤＢ８を検索して関係者に、避難場所を通知するようにしている。
【００１７】
従って、災害発生の通知を受け付けると、避難する必要のある地域内の避難者を抽出して災害発生および避難場所を通知し、自力で避難できない弱者には介護者が支援する旨を通知し、および介護者に弱者の支援要請を通知し、避難場所に避難した避難者、弱者、介護者は災害支援システム１に返信して関係者に避難先を連絡することにより、災害発生時に自動的に所定地域内の避難者に通知して避難場所に避難、弱者は介護者によって支援して避難すると共に避難完了をセンタに返信して関係者に避難先を連絡することが可能となる。
【００１８】
【発明の実施の形態】
次に、図１から図９を用いて本発明の実施の形態および動作を順次詳細に説明する。
【００１９】
図１は、本発明のシステム構成図を示す。
図１において、災害支援システム１は、災害発生時に避難対象者の避難の支援を行うものであって、ここでは、災害情報取得手段２、送信者抽出手段３、対象者ＤＢ８、地図ＤＢ９，メッセージ生成手段１０，災害メッセージＤＢ１３、自動発信手段１４、避難完了受付手段１５などから構成されるものである。
【００２０】
災害情報取得手段２は、災害発生の情報を取得するものである。
送信者抽出手段３は、災害発生した地域の避難対象者を抽出するものであって、ここでは、対象エリア抽出手段４、弱者抽出手段５、介護者抽出手段６、関係者抽出手段７などから構成されるものである。
【００２１】
対象エリア抽出手段４は、災害情報をもとに当該災害の発生した場所から所定領域（例えば半径１００ｍ範囲）を抽出するものである（図５参照）。
【００２２】
弱者抽出手段５は、対象エリア抽出手段４により抽出された災害発生場所を中心に所定距離内に住所を持つ避難対象者を対象者（弱者、介護者）ＤＢ８を検索して抽出し、この抽出した避難対象者が弱者であるかを抽出するものである（図２を用いて後述する）。
【００２３】
介護者抽出手段６は、避難対象者のうち弱者について更に対象者（弱者、介護者）ＤＢ８を検索してその介護者を抽出するものである。
【００２４】
関係者抽出手段７は、避難場所に避難完了した旨の連絡を受け付けたときに、対象者（弱者、介護者）ＤＢ８を検索して当該避難した対象者の連絡先の関係者を抽出するものである。
【００２５】
対象者（弱者、介護者）ＤＢ８は、避難する対象者、更に避難する際に介護が必要な弱者には弱者である旨および介護者を登録したものである。
【００２６】
地図ＤＢ９は、緯度、経度などに対応づけた地図を登録したものである。
メッセージ生成手段１０は、避難対象者に送信するメッセージを生成するものであって、ここでは、メディア変換手段１１、災害エリア図生成手段１２などから構成されるものである。
【００２７】
メディア変換手段１１は、災害情報を音声メッセージなどに変換するものである。
【００２８】
災害エリア図生成手段１２は、災害発生場所、避難場所の地図を取り出すものである。
【００２９】
災害メッセージＤＢ１３は、災害メッセージを登録したものである。
自動発信手段１４は、指定された電話番号に電話で発呼して自動音声でメッセージを発信、指定された電話番号に発呼してＦＡＸでメッセージを発信、指定されたアドレスに電子メールを発信したりなどするものである。
【００３０】
避難完了受付手段１５は、避難対象者から返信された避難完了通知を受け付けるものである。
【００３１】
指令管制システム２１は、消防署などの災害通知を受け付けるシステムであって、ここでは、災害発生情報を受け取るシステムである。
【００３２】
端末２２は、避難対象者（弱者、介護者など）が持つ端末であって、ここでは、災害発生メッセージ、避難場所を受信したり、避難場所に避難完了したときに避難完了を災害支援システム１に返信したりなどするものである。
【００３３】
次に、図２のフローチャートの順番に従い図１の構成の動作を詳細に説明する。
【００３４】
図２は、本発明の動作説明フローチャートを示す。
図２において、Ｓ１は、災害情報を取得する。これは、図１の災害支援システム１が指令管制システム２１から災害情報を取得する。
【００３５】
Ｓ２は、災害内容を確認か判別する。有の場合（災害の発生が有りの場合）には、Ｓ３に進む。無の場合には、Ｓ２を繰り返し待機する。
【００３６】
Ｓ３は、災害位置データの取得を要求する。
Ｓ４は、位置データの取得を確認か判別する。ＯＫの場合には、Ｓ５に進む。ＮＧの場合にはＳ３に戻り繰り返す。
【００３７】
Ｓ５は、災害メッセージの発信を要求する。
Ｓ１１は、送信先アドレスデータの抽出を要求する。
【００３８】
Ｓ１２は、災害位置データを経度・緯度データに変換する。
Ｓ１３は、定義半径内の経度・緯度情報の計算を行う。
【００３９】
Ｓ１４は、災害位置から近い順にエリア内弱者の抽出を行う。
Ｓ１５は、重度弱者か判別する。ＹＥＳの場合には、介護者の抽出を行う。ＮＯの場合にはＳ１６をスキップする。
【００４０】
以上のＳ１１からＳ１６により、後述する図５に示すように、災害発生場所を中心に例えば半径１００ｍの領域内の緯度・経度の値を持つ避難対象者を、後述する図３の対象者ＤＢ８を検索して避難対象者を抽出し、抽出した避難対象のうち弱者（介護者を必要とする弱者）を抽出およびその介護者を図３の対象者ＤＢ８から抽出し、災害発生場所に近い対象者順にソートすることが可能となる。
【００４１】
Ｓ２１は、メッセージの生成を要求する。
Ｓ２２は、災害メッセージを抽出する。これは、後述する図４の（ａ）災害メッセージテーブルから当該災害の内容（例えば火災）、災害場所、避難場所などに適合する災害メッセージ（必要に応じて災害の場所、日時を埋め込む）を抽出する。
【００４２】
Ｓ２３は、データを音声メディアに変換する。これは、Ｓ２２で抽出した災害メッセージ（テキスト）を音声データに変換する。
【００４３】
Ｓ２４は、災害エリア近辺の地図データを切り出す。これは、災害発生場所と避難場所を含む近辺の地図を切り出す。
【００４４】
Ｓ２５は、災害位置をポインティングする。これは、Ｓ２４で切り出した地図上で、災害位置を矢印などでポインティングし、一目で災害場所を認識できるようにする。
【００４５】
Ｓ２６は、避難場所をポインティングする。これは、Ｓ２５で災害場所に続けて、避難場所を矢印などでポインティングし、一目で避難場所を認識できるようにする。
【００４６】
以上のＳ２１からＳ２６によって、避難対象者に通知するメッセージ（テキストデータ、音声データ）、災害発生場所と避難場所をポインティングした地図を作成できたこととなる。
【００４７】
Ｓ１７は、発信データを一時保持する。これにより、
・Ｓ１１からＳ１６で抽出した災害発生場所から所定領域内の避難対象者、および弱者のときは更に介護者を抽出して一時保持し、
・Ｓ２１からＳ２３で発生した災害に適切な災害メッセージ、更に音声データを一時保持し
・Ｓ２１、Ｓ２２、Ｓ２４からＳ２６で災害場所、避難場所をポインティングした地図を一時保持し
たこととなる。
【００４８】
Ｓ１８は、送信先の端末を呼び出す。これは、抽出した避難対象者の登録されている送信先に発呼／発信して端末２２を呼び出す。
【００４９】
Ｓ１９は、応答ありか判別する。ＹＥＳの場合には、Ｓ２０でメッセージを送信する。ＮＧの場合には、Ｓ１８以降を繰り返す。尚、電子メールで避難対象者にメッセージ、地図を送信するときは登録されている電子メールの宛先に送信する。
【００５０】
以上によって、災害情報を受け付けるとその災害場所をもとに該当領域内の避難対象者、更に弱者と当該弱者の介護者を図３の対象者ＤＢ８から抽出し、災害に適したメッセージを生成して登録されているこれら避難対象者、更に弱者のときは介護者に順次メッセージと災害場所、避難場所をポインティングした地図を送信し、災害発生の旨および避難場所を一斉に通知することが可能となる。
【００５１】
図３は、本発明の対象者ＤＢ例を示す。対象者ＤＢ８には、図示の下記の情報を対応づけて予め登録したものである。
【００５２】
・ＩＤ：
・名前（氏名）：
・郵便番号：
・都道府県：
・市区町村：
・詳細住所：
・通知手段：ＦＡＸ　／ＴＥＬ／電子メール
・通知番号：電話番号／メールアドレス
・重度障害識別：１（弱者）、０（その他）
・障害内容区分：１（視覚障害）、２（聴覚障害）、３（足が不自由）
・介護者名：
・通知手段：
・通知番号：
・関係者：家族、親友などの連絡先
・通知手段：
・通知番号：
・その他：
ここで、上から順にＩＤ，名前、郵便番号、都道府県、市区町村、詳細住所は対象者のそれぞれのものである。通知手段は対象者に通知する手段であって、例えば電話、ＦＡＸ、電子メールなどである。通知番号は対象者に通知する番号であって、例えば電話番号、ＦＡＸ番号、電子メールのアドレスなどである。重度障害識別は、対象者が弱者のときは１、それ以外は０である。障害内容区分は重度障害識別が１（弱者）の場合に、その障害内容を設定したものであって、１は視覚障害、２は聴覚障害、３は足が不自由である。介護者は対象者が弱者で自力で避難場所に避難できないときに設定して避難時に介護して移動を助ける人を設定する。それに続く、通知手段、通知番号は介護者の通知手段、通知番号である。関係者は対象者が避難場所に避難完了したときに連絡する連絡先（家族、友人など）である。これに続く、通知手段、通知番号は関係者の通知手段、通知番号である。
【００５３】
図４は、本発明のＤＢ例を示す。
図４の（ａ）は、災害メッセージＤＢ例を示す。災害メッセージＤＢ１３には、図示の下記の情報を対応づけて登録する。
【００５４】
・災害ＩＤ：
・災害内容：
・災害メッセージ１：
・災害メッセージ２：
・介護メッセージ：
・関係者メッセージ：
・その他：
ここで、災害ＩＤは災害種別に付与したＩＤである。災害内容は発生した災害の内容（例えば火災、地震など）である。災害メッセージ１は通常の避難者向けのメッセージである。災害メッセージ２は弱者向けメッセージである。介護者メッセージは介護者向けのメッセージである。関係者メッセージは家族などの関係者向けメッセージである。尚、火災場所、日時は実際に災害が発生したときの場所、日時を埋め込んで自動作成する。
【００５５】
図４の（ｂ）は、地図ＤＢ例を示す。地図ＤＢ９には、図示の下記の情報を対応づけて登録する。
【００５６】
・都道府県：
・市区町村：
・詳細場所：
・経度：
・緯度：
・その他：
図４の（ｃ）は、避難所ＤＢ例を示す。避難所ＤＢには、図示の下記の情報を対応づけて登録する。
【００５７】
・避難場所ＩＤ：
・避難場所：
・郵便番号：
・都道府県：
・市区町村：
・詳細場所：
・その他：
図５は、本発明の説明図を示す。これは、災害発生現場が図示の中央と連絡を受け付けた場合、当該災害発生現場を中心にここでは、半径１００ｍの範囲内の区域（経度、緯度）の人を避難対象者として既述した図３の対象者ＤＢ８を検索して抽出する。避難対象者である
・通常者には、災害メッセージと地図（災害発生場所と避難場所をポインティングした地図）を送信
・弱者には、介護者が介護に向かう旨を付加した災害メッセージと地図（災害発生場所と避難場所をポインティングした地図）を送信
・また、介護者には、弱者の場所に介護に向かう介護要請のメッセージ、災害メッセージと地図を送信
する。
【００５８】
図６は、本発明の発信者リスト例を示す。これは、既述した図２のＳ１７で発信データを一時保持した状態の発信者リストの例を示す。ここでは、図示の下記の情報を対応づけて記憶する。
【００５９】
・番号：
・重度識別：１（弱者）、０（通常者）
・障害内容区分：１（視覚障害）、２（聴覚障害）、３（足が不自由）
・介護者：１（要）
・通知手段：対象者への通知手段（ＴＥＬ／ＦＡＸ／電子メールなど）
・通知番号：電話番号／ＦＡＸ番号／電子メールアドレスなど
・備考：
ここでは、発信者リストは災害発生場所に近い順にソートしてあり、この順に災害発生を該当対象者に通知する。
【００６０】
図７は、本発明の通知例を示す。
図７の（ａ）は、弱者への通知例（音声）を示す。これは、図１の自動発信手段１４が避難対象者である弱者に電話して、図示のテキストを自動音声で発生して通知する例を示す。ここで、▲１▼の部分のメッセージ「ＭＭ月ＤＤ日ＨＨ時ＭＭ分に、火災が発生しました。○○□□（介護者名）が救済に向かいます。」を所定回数繰り返して発声する。
【００６１】
図７の（ｂ）は、弱者への通知画像イメージ例を示す。ここでは、上段に火災発生のお知らせで、地図上に火災発生場所、避難場所を示した画像（地図）を送信する。下段には、テキストで、火災発生日時、火災発生場所、介護者が救済に向かう旨を通知する。
【００６２】
図８は、本発明の動作説明フローチャート（対象者送信）を示す。
図８において、Ｓ３１は、１レコードを取り出す。これは、既述した図６の発信者リストから１レコードを取り出す。
【００６３】
Ｓ３２は、弱者か判別する。これは、Ｓ３１で取り出したレコードの対象者が弱者か判別する。ＹＥＳの場合には、Ｓ３２に進む。ＮＯの場合には、Ｓ３５に進む。
【００６４】
Ｓ３２は、Ｓ３２のＹＥＳで弱者への送信と判明したので、更に、ＦＡＸなど送信か判別する。これは、音声以外のＦＡＸなどで送信か判別する。ＹＥＳの場合には、Ｓ３３で弱者用のメッセージを取り出し、Ｓ４２で送信する。Ｓ３２のＮＯの場合には、Ｓ３４で弱者用の音声データを取り出し、Ｓ４２で音声として送信する。
【００６５】
Ｓ３５は、Ｓ３２のＮＯで弱者への送信でないと判明したので、更に、介護者への送信か判別する。ＹＥＳの場合には、Ｓ３６に進む。ＮＯの場合には、Ｓ３９に進む。
【００６６】
Ｓ３６は、Ｓ３５のＹＥＳで介護者への送信と判明したので、更に，ＦＡＸなどの送信か判別する。ＹＥＳの場合には、Ｓ３７で介護者用のメッセージを取り出し、Ｓ４２で送信する。一方、Ｓ３６でＮＯの場合には、Ｓ３８で介護者用の音声データを取り出し、Ｓ４２で音声として送信する。
【００６７】
Ｓ３９は、ＦＡＸなどの送信か判別する。ＹＥＳの場合には、Ｓ４０で通常者のメッセージを取り出し、Ｓ４２で送信する。ＮＯの場合には、Ｓ４１で通常者の音声データを取り出し、Ｓ４２で音声で送信する。
【００６８】
以上によって、既述した図６の発信者リストの先頭から１レコードを順に取り出し、弱者用、介護者用、通常者用を判別し、更に、メッセージあるいは音声データのいずれかを取り出して登録されていた該当する態様で送信することが可能となる。
【００６９】
図９は、本発明の動作説明フローチャート（関係者通知）を示す。
図９において、Ｓ５１は、介護者が弱者を避難場所に避難させたか判別する。ＹＥＳの場合には、Ｓ５２に進む。
【００７０】
Ｓ５２は、介護者が避難完了通知を送信する。これは、介護者が弱者の居場所に出向いて支援して避難場所に到着して避難を完了したので、避難完了した旨を図１の災害支援システム１に通知する。
【００７１】
Ｓ５３は、関係者を抽出する。これは、図１の災害支援システム１が通知を受けた避難完了した避難対象者（弱者）のＩＤをもとに対象者ＤＢ８を検索して登録されている関係者を抽出する。
【００７２】
Ｓ５４は、メッセージを生成する。
Ｓ５５は、ＦＡＸなどの送信か判別する。ＹＥＳの場合には、Ｓ５６で関係者用のメッセージを取り出し、Ｓ５８で送信する。ＮＯの場合には、音声による送信と判明したので、Ｓ５７で関係者用の音声データを取り出し、Ｓ５８で音声として送信する。
【００７３】
また、Ｓ５９は、避難対象者が自力で避難完了したか判別する。ＹＥＳの場合には、Ｓ６０で避難完了通知を送信する。そして、既述したＳ５３以降で関係者を抽出し、メッセージあるいは音声でその関係者に避難している旨を連絡することが可能となる。
【００７４】
（付記１）
避難対象者、その場所情報、弱者か否かの情報、弱者の場合には介護者を登録したテーブルと、
災害発生した旨を受け付ける手段と、
前記受け付けた災害の発生場所をもとに所定領域内の避難対象者を前記テーブルから抽出する手段と、
前記抽出した避難対象者が弱者の場合には災害発生内容と避難場所に加えて介護者が支援に向かう旨を通知、および介護者には弱者の場所情報および支援要請を通知する手段と
をコンピュータに実行させるための避難支援プログラム。
【００７５】
（付記２）
前記テーブルに連絡先を登録しておき、
前記避難対象者あるいは介護者からの避難場所に避難完了した旨の通知を受け付ける手段と、
前記通知を受け付けたときに前記テーブルを参照して連絡先に避難者とその避難場所を通知する手段と
をコンピュータに実行させるための付記１記載の避難支援プログラム。
【００７６】
（付記３）
災害発生時に避難者に避難通知する避難支援システムにおいて、
避難対象者、その場所情報、弱者か否かの情報、弱者の場合には介護者を登録したテーブルと、
災害発生した旨を受け付ける手段と、
前記受け付けた災害の発生場所をもとに所定領域内の避難対象者を前記テーブルから抽出する手段と、
前記抽出した避難対象者が弱者の場合には災害発生内容と避難場所に加えて介護者が支援に向かう旨を通知、および介護者には弱者の場所情報および支援要請を通知する手段と
を備えたことを特徴とする避難支援システム。
【００７７】
（付記４）
災害発生時に避難者に避難通知する避難支援方法において、
避難対象者、その場所情報、弱者か否かの情報、弱者の場合には介護者を登録したテーブルを設け、
災害発生した旨を受け付けるステップと、
前記受け付けた災害の発生場所をもとに所定領域内の避難対象者を前記テーブルから抽出するステップと、
前記抽出した避難対象者が弱者の場合には災害発生内容と避難場所に加えて介護者が支援に向かう旨を通知、および介護者には弱者の場所情報および支援要請を通知するステップと
を有する避難支援方法。
【００７８】
（付記５）
災害発生時に避難者に避難通知する避難支援プログラムを記録したコンピュータ読取可能な記録媒体において、
避難対象者、その場所情報、弱者か否かの情報、弱者の場合には介護者を登録したテーブルと、
災害発生した旨を受け付ける手段と、
前記受け付けた災害の発生場所をもとに所定領域内の避難対象者を前記テーブルから抽出する手段と、
前記抽出した避難対象者が弱者の場合には災害発生内容と避難場所に加えて介護者が支援に向かう旨を通知、および介護者には弱者の場所情報および支援要請を通知する手段と
して機能させるプログラムを記録したコンピュータ読取可能な記録媒体。
【００７９】
【発明の効果】
以上説明したように、本発明によれば、災害発生の通知を受け付けると、避難する必要のある地域内の避難者を抽出して災害発生および避難場所を通知し、自力で避難できない弱者には介護者が支援する旨を通知し、および介護者に弱者の支援要請を通知し、避難場所に避難した避難者、弱者、介護者は災害支援システム１に返信して関係者に避難先を連絡する構成を採用しているため、災害発生時に自動的に所定地域内の避難者に通知して避難場所に避難、弱者は介護者によって支援して避難すると共に避難完了を災害支援システム１に返信して関係者に避難先を連絡することが可能となる。
【図面の簡単な説明】
【図１】本発明のシステム構成図である。
【図２】本発明の動作説明フローチャートである。
【図３】本発明の対象者ＤＢ例である。
【図４】本発明のＤＢ例である。
【図５】本発明の説明図である。
【図６】本発明の発信者リスト例である。
【図７】本発明の通知例である。
【図８】本発明の動作説明フローチャート（対象者送信）である。
【図９】本発明の動作説明フローチャート（関係者通知）である。
【符号の説明】
１：災害支援システム
２：災害情報取得手段
３：送信者抽出手段
４：対象エリア抽出手段
５：弱者抽出手段
６：介護者抽出手段
７：関係者抽出手段
８：対象者ＤＢ
９：地図ＤＢ
１０：メッセージ生成手段
１１：メディア変換手段
１２：災害エリア図生成手段
１３：災害メッセージＤＢ
１４：自動発信手段
１５：避難完了受付手段
２１：指令管制システム
２２：端末
【図１】
2004118702.tif 000003
【図２】
2004118702.tif 000004
【図３】
2004118702.tif 000005
【図４】
2004118702.tif 000006
【図５】
2004118702.tif 000007
【図６】
2004118702.tif 000008
【図７】
2004118702.tif 000009
【図８】
2004118702.tif 000010
【図９】
2004118702.tif 000011